(57)【要約】      （修正有）【課題】トレー本体内に撓曲状態で収容される部材の跳ね上がりや浮揚を防止することができ、トレー重積の安定、安全を完全に保持でき、しかも容易に製造可能であって製造コストの低減をも図ることのできるトレーを提供する。【解決手段】医療用収納トレーは、底部４、側壁部５、内側凸部６およびリブ２から構成され、内側凸部６と底部４との間にリブ２を設置してなるものであり、しかも、リブ２は、トレー本体の角部以外の相対する側壁部内部周囲に、連続して２本直線状に設けられ、トレー本体の角部外部に外向きストッパー３を設けてなる。【選択図】図１
0003211413.tif 000002
【実用新案登録請求の範囲】
【請求項１】
トレー本体が、底部、側壁部、内側凸部、リブとから構成され、内側凸部と底部との間にリブを設置してなる、医療用収納トレー。
【請求項２】
リブは、トレー本体の角部以外の相対する側壁部内部周囲に、連続してまたは断続的に、１本以上直線状に設けられる、請求項１に記載の医療用収納トレー。
【考案の詳細な説明】
【考案の詳細な説明】
【技術分野】
【０００１】  本考案は、トレー本体の内部にリブを、その外部にストッパーを備えたトレーに関し、特にカテーテルやガイドワイヤー等の長尺で弾性を有する医療器具を収容する医療器具用トレーとして用いて好適なリブ、ストッパー付きトレーに関する。
【背景技術】
【０００２】  医療処置に用いられるカテーテル、ガイドワイヤー等は、処置前に皿状のトレー内にて例えば生理食塩水に浸漬され、この際、トレーに比して長尺であるカテーテルは曲げられた状態（撓曲状態）となる。そして、撓曲状態のカテーテルはその弾性復元力により跳ね上がったり、生理食塩水上に浮揚したりする恐れがあり、これらを防ぐため余分の手作業等を要するなどの不都合が生じていた。【０００３】  そこで、カテーテル、ガイドワイヤー等を収容する従来のトレーとして、上記のカテーテルの跳ね上がりや浮遊を防止するため、種々の試みが行われているが、十分に満足されるものは見い出されていないのが現状である。【０００４】  また、従来、トレー内部に内向きの突起物を設置して、複数のトレーを重積しても内容物をそのままに状態で保持できるようにした試みが報告されているが、重積した場合の安定性が十分でないという問題があった。
【考案の概要】
【考案が解決しようとする課題】
【０００５】  本考案は、かかる事項を解決するためになされたもので、その目的は、トレー本体内に撓曲状態で収容される部材の跳ね上がりや浮揚を防止することができ、トレー重積の安定、安全を完全に保持でき、しかも容易に製造可能であって製造コストの低減をも図ることのできるトレーを提供することである。
【課題を解決するための手段】
【０００６】  上記目的を達成するために、本考案の医療用収納トレーは、底部、側壁部、内側凸部、リブとから構成され、内側凸部と底部との間にリブを設置してなる（請求項１）。【０００７】  上記リブが、トレー本体の角部以外の相対する側壁部内部周囲に、連続してまたは断続的に、１本以上直線状に設けられる、医療用収納トレーである（請求項２）。【０００８】  まず、本考案に係る医療用収納トレーは、医療処置に用いられるカテーテル、ガイドワイヤー等やこれらが浸漬する生理用食塩水等の液の他、注射針やシリンジ等も収容される。【０００９】  そして、トレー本体１の素材には、例えば、ポリプロピレン、ポリエチレンテレフタレート、ポリスチレン、ポリエチレン、ポリアミド等のプラスチックや生分解性プラスチックなどが使用され、場合により、他の樹脂、フィラー等が添加されてもよい。【００１０】  また、トレー本体１は、例えば真空成形、圧空成形、或いはこれらを併用した真空・圧空成形等により成形することができる。【００１１】  本考案の医療用収納トレーは、底部４、側壁部５、内側凸部６、リブ２とから構成される。【００１２】  リブ２は、まず、内側凸部６の下部でそれと底部４との間に設置するのが好ましい。そして、トレー本体１の角部以外の相対する側壁部５内部の周囲に、連続してまたは断続的に、１本以上直線状に設けるのが好ましい。【００１３】  リブ２は、その内部側壁部５の壁面からの高さが、１〜１０ｍｍ程度が好ましいが、それ以外であってもよい。また、リブ２の断面的形状は、曲線を組み合わせたもの、直線状例えば三角形状のもの、曲線と直線を組み合わせたものなど、いずれを設置してもよい。【００１４】  また、本考案の医療用収納トレーを構成する内側凸部６は、トレー本体１の角部以外の相対する側壁部５内部の周囲に、連続してまたは断続的に、直線状に設けるのが好ましい。【００１５】  内側凸部６は、その内部側壁部５の壁面からの高さが、１０〜３０ｍｍ程度が好ましいが、それ以外であってもよい。また、内側凸部６の断面的形状は、曲線を組み合わせたもの、直線状例えば三角形状のもの、曲線と直線を組み合わせたものなど、いずれを設置してもよい。【００１６】  リブ２の設置は、２〜３本程度が好ましく、それ以上であっても１本であってもよい。２〜３本程度設置されていると、内側凸部６の存在と相まって、収納しようとするカテーテル、ガイドワイヤー等の、リブ２による跳ね上がりや浮揚を抑止でき、生理食塩水への浸漬を確実とすることができる。【００１７】  さらに、リブ２および内側凸部６は、トレー本体１の角部以外の相対する側壁部５に設けられることが好ましい。さらには長辺側壁部の中央付近に設けられることが最も好ましい。【００１８】  本考案の医療用収納トレーは、トレー本体１の角部外部に外向きストッパー３を設けることが好ましい。【００１９】  従来、このようなトレーに内側凸部を設置して、収納したカテーテル等を生理食塩水への浸漬をしようとする試みが知られているが、その場合、部分的な浮揚や跳ね上がりなどが生じたり、また液中で移動が頻発したりして、十分な浸漬ができないばかりか、内側凸部がトレーの中央部近くにあるので、複数のトレーを重積��たときぐらつきが起き易く不安定となった。【００２０】  本考案の医療用収納トレーは、トレー本体１の角部外部に外向きストッパー３を設けることによって、トレー本体１を複数個以上重積して、保管、運搬等を行う際、最外部同士を支え合うので、収容物（カテーテル等）の跳ね上がりや浮揚を、確実に、かつ安定的に防止することができ、しかもトレー本体１内の上記収容物の保全に寄与することもできる。【００２１】  なお、外向きストッパー３の、トレー本体の側壁部壁面からの高さは、３〜２０ｍｍ程度であることが好ましいが、それ以外であってもよい。また外向きストッパーは、トレー本体１の角部以外に付設しても差し支えない。
【考案の効果】
【００２２】  請求項１、２に係る本考案の医療用収納トレーでは、トレー本体に撓曲状態で収容された部材の跳ね上がりや浮揚を、リブによって完全に防止することができる。【００２３】  しかも、請求項１、２に係る本考案の医療用収納トレーでは、多くのトレーを重積して、保管、運搬等を行う際、きわめて安定的にでき、かつトレー本体１内の収容物（カテーテル等）の保全に寄与することもできる。
【図面の簡単な説明】
【００２４】
【図１】  本考案の一実施の形態に係る医療用収納トレー本体の構成を概略的に示す平面図である。
【図２】  図１に示す医療用収納トレー本体におけるＸ−Ｘ線概略断面図である。
【図３】  図２に示す医療用収納トレー本体断面図における、その右端部を部分的に示す拡大概略断面図である。
【図４】  本考案の一実施の形態に係る医療用収納トレー本体の角部（コーナー）を部分的に示す拡大概略断面図である。
【考案を実施するための形態】
【００２５】  以下、本考案の実施の形態について図面を参照しつつ説明する。
まず、本実施形態に係る医療用収納トレーにおける各構成部材の具体的な構造について説明する。
まず、トレー本体１は、図１および図２に示すように、平面的に見てほぼ矩形状の底部４と、底部４の周縁に立設された角筒状の側壁部５からなる。
【００２６】  底部４には、図１に示すように、トレーの底に収納されたカテーテル、ガイドワイヤー等の取り上げを容易にするために、適宜、溝部７を設けてもよい。
【００２７】  次に、側壁部４は、図２に示すように、漸次上方に開口するように傾斜をもたせる構造であることが好ましい。
【００２８】  本実施形態に係る医療用収納トレー１においては、図２、図３に示すように、トレー本体１内の側壁部４の中央付近に内側凸部６を、側壁部４の下部にリブ２を２本備えている。
【００２９】  また、内側凸部６とリブ２は、図１に示されるように、トレー本体１の角部以外の相対する側壁部４、しかも長辺側壁部の中央付近にも設けられる。
【００３０】  さらに、内側凸部６とリブ２の断面的形状は、図２、図３に示されるように、直線状、例えば三角形状のものと曲線を組み合わせたものが使用されている。
【００３１】  本考案の医療用収納トレーは、底部４と、側壁部５と、更に該側壁部５の上部に内側凸部６とを有する医療用収納トレーであり、内側凸部５は、相対する長辺側壁部の上部にも設置され、リブ２は上記内側凸部５と底部４との間に設けられている。
【００３２】  また、本考案の医療用収納トレーは、図４に示されるように、トレー本体１の角部（コーナー）の外部に外向きストッパー３を設けることによって、トレー本体１を複数個以上重積して、保管、運搬等を行う際、最外部同士を支え合うという強固な効果の他、上記リブ２と内側凸部５の設置、およびその位置関係などの相乗効果により、収容物（カテーテル等）の跳ね上がりや浮揚を、確実に、かつ安定的に防止することができ、しかもトレー本体１内の上記収容物の保全に寄与することもできる。
【００３３】  以上のように、本実施態様においては、図１〜４に示すように、
本考案の医療用収納トレーは、底部４、側壁部５、内側凸部６およびリブ２から構成され、内側凸部６と底部４との間にリブ２を設置してなるものであり、
しかも、リブ２は、トレー本体１の角部以外の相対する側壁部内部周囲に、連続して２本直線状に設けられ、
しかも、トレー本体１の角部外部に外向きストッパー３を設けてなるものが、好ましい一例として示されている。
【符号の説明】
【００３４】１    トレー本体
２    リブ
３    外向きストッパー
４    底部
５    側壁部
６    内側凸部
７    溝部
【図１】
0003211413.tif 000003
【図２】
0003211413.tif 000004
【図３】
0003211413.tif 000005
【図４】
0003211413.tif 000006